(57)【要約】  【課題】本願発明は、吸込グリルがフラットな面形状で中央に左右端まで伸びる横長の吸込口用の凹部を設け薄型としても、変形や破損を抑制できる空気調和機を提供する。  【解決手段】室内側ユニットの前面側に配置されたフラットな面形状で中央に左右端まで貫通した横長の吸込口用の凹部を設けた薄型の吸込グリルに、前記凹部の左右端に補強部を設けることで変形や破損を抑制でき、さらに前記補強部の前面に補強部材を固着させることで、より強度を補強すると共に、前記補強部材の表面に印刷を施すことでデザインにバリエーションを持たせることができる。  【選択図】図２
2008121968.tif 000002
【特許請求の範囲】
【請求項１】
室内側ユニットの前面側に配置され、左右側面まで伸びる凹部と同凹部の一部を吸込口とした吸込グリルを備えた空気調和機において、前記凹部の左右端に補強部を設けた空気調和機。
【請求項２】
前記補強部は、他の凹部よりも浅く形成した請求項１に記載の空気調和機。
【請求項３】
前記補強部の前面に、補強部材を固着させた請求項１または２に記載の空気調和機。
【発明の詳細な説明】
【技術分野】
【０００１】
この発明は空気調和機に関するもので、特に吸込グリルの形状に関するものである。
【背景技術】
【０００２】
空気調和機の室内側ユニット１は図１に示すように、内部にフィルタ８と熱交換器４と送風ファン３と図示しない電装品箱を備え、それらを支持するベース２０と、前記ベース２０に冠着した前面パネル２と前記前面パネル２の前面に取り付けられた吸込グリル５でなり、上部吸込口９および前面吸込口１０から吸い込まれた吸込空気を熱交換して冷気あるいは暖気とし、前記送風ファン３により吹出口１１から室内に送出している。
近年の室内側ユニットは吸込グリルの表面は桟を設けないフラットな面形状にして室内のインテリアに溶け込むデザインとなり、空気は上部から吸い込む方式が主流となってきた。しかしそれだけでは桟が無いことで前面からの吸込量が不足するため前面からも空気を取り入れる必要があり、図７の空気調和機Ａのようにフラットな面形状の吸込グリル５の中央に横長の凹部５ａを設け、その一部を吸込口１０として構成することで吸込風量を増やすと共に、フラットな面による単調なデザインにアクセント的な効果も与える空気調和機が提案されている。（特許文献１）
一方、吸込グリルは空気調和機の点検修理や内包するフィルタおよび同吸込グリルの清掃のために着脱可能で取扱い易いことが求められるが、合成樹脂で成形されたフラットな面形状の吸込グリルの中央に横長の凹部を設け、その一部を吸込口１０として構成した場合は、落下等の衝撃によって吸込口用の孔から左右側面にかけて変形や亀裂が発生しやすい。そのため前記空気調和機Ａは吸込グリル凹部５ａを左右端まで伸ばさず、前面左右端にはフラットな面を持たせることで強度を補強させるデザインとなっている。
【０００３】
また、図８の空気調和機Ｂのようにフラットな吸込グリルの中央に左右端まで伸びた横長の凹部を設けたデザインもある。これは吸込グリルを上下に分断させる視覚的効果によりシャープでスッキリとした印象を与え、デザインの差別化を図ることができるが、左右端まで伸ばした場合は側面がさらに弱くなる。これを補強させるため前記空気調和機Ｂは吸込グリル側面のフランジの幅５ｇを幅広くさせている。しかし、例えばフィルタ清掃等の作業者が両腕を左右に広げて横幅が例えば約８００ｍｍある大きな吸込グリルを保持することは容易ではなく、特に前記吸込グリル側面のフランジの幅５ｇが幅広くなると手の中に納まりきらず、大きさと重さも増し、手から落下させることがある。（特許文献２）
また、フラットな面形状ではデザインが変化に乏しいものとなってしまいがちである。そのためデザインに特徴をつけるため例えば吸込グリル自体にブランド名やキャッチフレーズ等の印刷をすることがあるが、印刷が不良となった場合は吸込グリル１枚分が無駄になる損失を招くことになり、コストの上昇につながっていた。
【特許文献１】登録意匠番号１１７７３８２号公報
【特許文献２】登録意匠番号１１６２９８７号公報
【特許文献３】特開２００４−２５７６２４号公報
【特許文献４】特開２００１−４１４８８号公報
【発明の開示】
【発明が解決しようとする課題】
【０００４】
本願発明は、吸込グリルがフラットな面形状で中央に左右端まで伸びる横長の吸込口用の凹部を設け薄型としても、変形や破損を抑制できる空気調和機を提供することを目的とする。
【課題を解決するための手段】
【０００５】
前記課題を解決するために、室内側ユニットの前面側に配置され、左右側面まで伸びる凹部と同凹部の一部を吸込口とした吸込グリルを備えた空気調和機において、前記凹部の左右端に補強部を設けることで変形や破損を抑制できる。
【０００６】
また、前記補強部は他の凹部よりも浅く形成しているが、前記補強部を設けても表面に凹部が左右側面まで伸びるデザインに影響を与えない。
【０００７】
また、前記補強部の前面に補強部材を固着させることで、より強度を補強することができる。さらに補強部材の表面に印刷を施すことで空気調和機のデザインを変えることができ、バリエーションの幅も広がる。
【発明の効果】
【０００８】
このように本願発明は、吸込グリルがフラットな面形状で中央に左右端まで伸びた横長の吸込口用の凹部を設けて薄型としても、前記凹部の左右端に補強部を設けることで変形や破損を抑制できる。それに加えて前記補強部の前面に補強部材を固着させることで、より強度を補強すると共に、前記補強部材の表面に印刷を施すことで空気調和機のデザインを変えることができ、バリエーションの幅も広がる。
【発明を実施するための最良の形態】
【０００９】
以下、本願発明の実施形態を添付図面に基づいた実施例１として詳細に説明する。図１は本願発明の吸込グリルを取り付けた空気調和機の構成を示す断面図、図２は本願発明の吸込グリルを取り付けた空気調和機の斜視図、図３は本願発明の吸込グリル開蓋状態を示す側面図、図４は本願発明の吸込グリルの説明図で（Ａ）は正面図、（Ｂ）は側面図、（Ｃ）はＡ−Ａ′断面部分拡大図、（Ｄ）はＢ−Ｂ′断面部分拡大図、（Ｅ）はＣ−Ｃ′断面部分拡大図、（Ｆ）はＹ方向から見たＤ部拡大斜視図、（Ｇ）は実施例２におけるＡ−Ａ′断面に対応する部分拡大図である。
【００１０】
本願発明による空気調和機の室内側ユニット１は、図１および図２に示すように、内部にフィルタ８と熱交換器４と送風ファン３と図示しない電装品箱を備え、それらを支持するベース２０と、前記ベース２０に冠着した前面パネル２と前記前面パネル２の前面に取り付けられた吸込グリル５でなり、上部吸込口９および前面吸込口１０から吸い込まれた吸込空気を熱交換して冷気あるいは暖気とし、前記送風ファン３により吹出口１１から室内に送出している。
【００１１】
前記吸込グリル５の表面はフラットな面形状であり、前記吸込グリル５のほぼ中央にフラットな面を上下に分断する吸込グリル凹部５ａが設けられている。同凹部５ａは、側面視で前面側が広い台形状に落ち込み、下面に前記前面吸込口１０があり空気を取り入れている。同前面吸込口１０の前面視での横幅は内装する前記熱交換器４と略同幅である。
【００１２】
また、図３に示すように前記吸込グリル５は空気調和機の点検修理や内包する前記フィルタ８および同吸込グリル５の清掃のために着脱可能であり、前記吸込グリル５上端の係止軸１２が前記前面パネル２の上端の支点１３に軸支されている。作業者は外す場合は閉蓋状態の前記吸込グリル５をバネ機構等で図３の位置まで開け、前記吸込グリル５の左右端を掴んで上に持ち上げ、前記係止軸１２を前記支点１３から外す。反対に前記吸込グリル５を取り付ける場合は、前記吸込グリル５の左右端を掴み前記係止軸１２を前記支点１３に合わせ、前記吸込グリル５を上から下に降ろし、前記前面パネル２のバネ機構等に係止させる。
【００１３】
その際、前記吸込グリル５は横幅が約８００ｍｍあるため、作業者が両腕を左右に広げて一連の作業をすることは容易ではない。そのため前記吸込グリル５の厚さは手の中に容易に持てる厚さが望ましく、前記吸込グリル５側面のフランジの幅５ｇは１０ｍｍ以下となっている。しかし、合成樹脂で加工されたフラットな面形状で薄型の吸込グリルの中央にフラットな面を上下に分断する凹部５ａを設けたため、前記凹部５ａの部分が肉薄となるため作業中に変形や破損が発生しやすくなる。
【００１４】
これを解決するため本願発明は前記吸込グリル凹部５ａの左右端に補強部５ｂを設ける。前記補強部５ｂは図４（Ｄ）および（Ｅ）のように他の凹部５aよりも浅くなっており、前記補強部５ｂの幅は図４（Ｆ）のように前記吸込グリル凹部５ａの中で前記前面吸込口１０以外の部分にあたる。前記補強部５ｂの立上げ部５ｃは図４（Ｅ）のように傾斜させることで箱状のイメージを緩和している。また実施例２として図４（Ｇ）のように立上げ部５ｃをなだらかなスロープにすることで前記吸込グリル凹部５ａと一体感を持たせることもできる。これにより前記吸込グリル５の側面が補強され、変形や破損を抑制できる充分な強度を確保することができる。
【００１５】
図５は本願発明の実施例３と実施例４を示す吸込グリルを取り付けた空気調和機の斜視図、図６（Ａ）は実施例３における図４のＣ−Ｃ′断面に対応する部分拡大図、（Ｂ）は実施例４における図４のＣ−Ｃ′断面に対応する部分拡大図、（Ｃ）は実施例５における図４のＣ−Ｃ′断面に対応する部分拡大図である。
【００１６】
図４（Ａ）Ｄ部付近の空気調和機の内部には電装品箱（図示せず）が配置されていることが多い。その場合は前面吸込口１０の幅が電装品箱の幅の分だけ狭くなるため、例えば図５のように補強部５ｂの幅を前記電装品箱の幅に合わせ、前記補強部５ｂの表面に補強部材６を固着させることでより強度を補強することができる。さらに前記補強部材６にはブランド名やキャッチフレーズ等の印刷を施すことで、フラットで変化に乏しい空気調和機Ｃのデザインを変えることができ、バリエーションの幅も広がる。また従来の直接吸込グリルに印刷することで、印刷不良により吸込グリル１枚分が無駄になる損失も解消できる。
【００１７】
その際前記補強部材６を固着させる構成として、実施例３として図６（Ａ）のように合成樹脂の成形品の表面にシルク印刷を施し、裏面に係止用爪６ａを二本突設した前記補強部材６を、前記補強部５ｂの表面に設けた係止用孔５ｄに前記係止用爪６ａで係止させる。
【００１８】
または実施例４として図６（Ｂ）のように合成樹脂の成形品の表面にシルク印刷を施すか、または板金の加工品の表面にオフセット印刷を施した前記補強部材６を、両面テープ等の接着剤７で前記補強部５ｂの表面に接着させる。
【００１９】
その場合は実施例５として図６（Ｃ）のように前記補強部５ｂの表面に落ち込みを設け、前記補強部材６を前記補強部５ｂの落ち込みの形に添わせた形状にして両面テープ等の接着剤７で前記補強部５ｂの落ち込みの中に接着させても良い。
【図面の簡単な説明】
【００２０】
【図１】は本願発明の吸込グリルを取り付けた空気調和機の構成を示す断面図
【図２】は本願発明の吸込グリルを取り付けた空気調和機の斜視図
【図３】は本願本発明の吸込グリル開蓋状態を示す側面図
【図４】は本願発明の吸込グリルの説明図で（Ａ）は正面図、（Ｂ）は側面図、（Ｃ）はＡ−Ａ′断面部分拡大図、（Ｄ）はＢ−Ｂ′断面部分拡大図、（Ｅ）はＣ−Ｃ′断面部分拡大図、（Ｆ）はＹ方向から見たＤ部拡大斜視図、（Ｇ）は実施例２におけるＡ−Ａ′断面に対応する部分拡大図
【図５】は本願発明の実施例３と実施例４を示す吸込グリルを取り付けた空気調和機の斜視図
【図６】図６（Ａ）は実施例３における図４のＣ−Ｃ′断面に対応する部分拡大図、（Ｂ）は実施例４における図４のＣ−Ｃ′断面に対応する部分拡大図、（Ｃ）は実施例５における図４のＣ−Ｃ′断面に対応する部分拡大図
【図７】は従来の空気調和機の構成を示す斜視図１
【図８】は従来の空気調和機の構成を示す斜視図２
【符号の説明】
【００２１】
１    空気調和機室内側ユニット
２    前面パネル
３    送風ファン
４    熱交換器
５    吸込グリル
５ａ  吸込グリル凹部
５ｂ  補強部
６    補強部材
７    接着剤
８    フィルタ
９    上部吸込口
１０  前面吸込口
１１  吹出口
【図１】
2008121968.tif 000003
【図２】
2008121968.tif 000004
【図３】
2008121968.tif 000005
【図４】
2008121968.tif 000006
【図５】
2008121968.tif 000007
【図６】
2008121968.tif 000008
【図７】
2008121968.tif 000009
【図８】
2008121968.tif 000010